(57)【特許請求の範囲】
【請求項１】
係止部を有する引っかけ部と、該引っかけ部から屈曲又は湾曲して延設された当接部と、該当接部から延設された把持部とを備え、水栓本体の外周面の工具掛けを前記係止部により係止すると共に水栓本体の外周面に前記当接部を当接させて水栓本体を回動不能に固定する給水栓用工具であって、
前記把持部は、前記当接部に対して、前記引っかけ部に対する前記当接部の屈曲又は湾曲の方向とは逆方向に屈曲又は湾曲して延設されていることを特徴とする給水栓用工具。
【発明の詳細な説明】
【０００１】
【発明の属する技術分野】
本各発明は、カウンターやデッキ面等の取付部に穿設された単一の取付孔に取り付けられる給水栓の施工やメンテナンスに際して用いられる給水栓用工具に関する。
【０００２】
【従来の技術】
従来、図６に示すように、カウンターやデッキ面等の取付部１に穿設された単一の取付孔２に水栓本体３を取り付けるに際しては、例えば、取付部１下からナット４により水栓本体３を取付部１に固定するのであるが、ナット締め等の際に水栓本体３を固定していないと、ナット４の締め付け作業に伴って水栓本体３が「共回り」してしまい、ナット４による固定ができなくなる。この水栓本体３の共回りを素手にて防止することは困難なため、従来より、水栓本体３の外周面に穴状の工具掛け５を設け、この工具掛け５に給水栓用工具６を引っかけて水栓本体３の共回りを防止しつつナット締め等を行っていた。また、水栓本体３の取付の後に、水栓本体３内に収容された混合弁カートリッジ７等をメンテナンスする場合には、水栓本体３に螺着固定されたハウジング８を取り外す必要がある。よって、このような作業時にも、工具掛け５に給水栓用工具６を引っかけて水栓本体３の共回りを防止していた。さらに、上記とは逆に、ナット４を緩めたりハウジング８を締め付ける場合も同様に、工具掛け５に給水栓用工具６を引っかけて水栓本体３の共回りを防止していた。ここで、従来の給水栓工具６は、水栓本体３の工具掛け５を係止する突起状の係止部１２を有する引っかけ部１０と、この引っかけ部１０から屈曲して延設された当接部１１と、この当接部１１からさらに延設された把持部９とを有し、全体が略Ｌ字状に形成されたものであり、係止部１２を水栓本体３の工具掛け５に係止すると共に当接部１１を水栓本体３の外周面に当接させて、把持部９を手により把持して水栓本体３の共回り方向とは逆方向に力を加えることにより、水栓本体３を回動不能に固定するものである。
【０００３】
なお、このような作業において、図７（水栓本体の概略平面図）に示すように、ナット４を締める場合及びハウジング８を緩める場合等、平面視反時計回り（矢印Ａ方向）に水栓本体３が共回りする虞がある場合には、水栓本体３の平面視右側に給水栓用工具６の中間部分の当接部１１を当接させるようにして工具掛け５に給水栓用工具６の係止部１２を係止させ、図８（水栓本体の概略平面図）に示すように、ナットを緩める場合及びハウジングを締める場合等、平面視時計回り（矢印Ｂ方向）に共回りする虞がある場合には、水栓本体３の平面視左側に当接部１１を当接させるようにして工具掛け５に係止部１２を係止させて水栓本体３を固定することとしている。これは、給水栓用工具６の引っかけ部１０の係止部１２を工具掛け５に係止させるだけでなく、給水栓用工具６の当接部１１を水栓本体３に当接させることで、テコの原理により、把持部９に加わる共回り防止の力を係止部１２に大きく作用させることができるからである。
【０００４】
【発明が解決しようとする課題】
ところで、水栓本体３に設けられるこのような工具掛け５は、給水栓１４の美観を損ねないよう使用者の目に付き難い水栓本体３の背面に設けられていた。ここで、図９に示すように、工具掛け５に給水栓用工具６を引っかける場合、水栓本体３背面側では、流し台のバックガード等の壁面１６と水栓本体３との間（図９における寸法Ｃ）を、給水栓用工具６の引っかけ部１０の大きさ（図９における寸法Ｄ）よりも大きくしなければならず、これが小さいと工具掛け５に給水栓用工具６を引っかけて水栓本体３を固定することができないため、ナット４やハウジング８の締め付け・緩めの作業が非常に煩雑なものとなったり、あるいは、作業そのものが行えなかった。また、従来の給水栓用工具３は全体が略Ｌ字状に形成されているため、水栓本体３の工具掛け５に掛けた状態では、把持部９が水栓本体３の前方に大きく突出してしまう。よって、水栓本体３の前方に把持部９の障害物が存在する等の水栓本体３周りの状況によっては、給水栓用工具６を用いることができない場合があった。
【０００５】
本各発明は上記した従来の給水栓用工具の問題点を解消するものであり、水栓本体の設置場所にかかわらず、取付部への取付等の際の水栓本体の共回りを防止し、取付部への取付等の作業性を向上させることのできる給水栓用工具を提供することを目的とする。
【０００９】
【課題を解決するための手段】
以上の課題を解決するために、本発明の採った手段を以下に説明する。本発明の給水栓用工具は、「係止部を有する引っかけ部と、該引っかけ部から屈曲又は湾曲して延設された当接部と、該当接部から延設された把持部とを備え、水栓本体の外周面の工具掛けを前記係止部により係止すると共に水栓本体の外周面に前記当接部を当接させて水栓本体を回動不能に固定する給水栓用工具であって、前記把持部は、前記当接部に対して、前記引っかけ部に対する前記当接部の屈曲又は湾曲の方向とは逆方向に屈曲又は湾曲して延設されていることを特徴とする給水栓用工具」である。
【００１０】
上記構成により、給水栓用工具全体は、中間部分の当接部から引っかけ部と把持部とが各々反対方向に延設された形態となり、略クランク形状や略Ｓ字形状等の形態となる。よって、従来の略Ｌ字状の給水栓用工具では、その把持部が種々の障害物と干渉するため使用できない状況であっても、本発明に係る給水栓用工具では、その把持部の突出方向が従来の給水栓用工具の把持部の突出方向とは異なるため、把持部の干渉を回避して用いることができる。具体的に説明すると、例えば、水栓本体の正面や側面に工具掛けが設けられている場合、略Ｌ字状の従来の給水栓用工具では、水栓本体背面側の壁面が把持部の障害となるため使用できなくても、本発明の給水栓用工具であれば、把持部が壁面方向に突出しないため、壁面が障害になることはなく、その使用が可能となる。なお、本発明の給水栓用工具は、適宜の使用に際して把持部が引っかけ部とは反対方向に突出した形態となればよいものであり、把持部を当接部に対して回動自在に支持して、状況に応じて全体を略Ｌ字状としたり略クランク形状として使用することができるものも含むものである。
【００１１】
【発明の実施の形態】
次に、本発明を適用した給水栓用工具６の実施の形態を図１を参考にして詳細に説明する。給水栓２０は、従来例の図６と同様に、カウンターやデッキ面等の取付部１に穿設された単一の取付孔２に取り付けられる水栓本体３を備えるものである。なお、以下、従来例の給水栓１４と共通する構成については、従来例と同一の符号を図に付して説明を省略する。
【００１２】
図１に示すように、この給水栓２０の水栓本体２２には、平面視背面側寄りの左右外側面に、２箇所の穴状の工具掛け２４ａ，ｂがそれぞれ設けられている。この水栓本体２２は、その背面側の壁面２６と近接して設置されており、給水栓用工具６の引っかけ部１０を水栓本体２２の背面側には挿入することができないが、工具掛け２４が背面に設けられておらず、斜め後方に設けられているので、図１に示すように、給水栓用工具６の突起状の係止部１２を工具掛け２４ａに係止することができる。本例において、ナット４を締める場合等には、水栓本体２２が図１の平面視反時計回りに共回りしようとするが、給水栓用工具６の係止部１２を右側の工具掛け２４ａに係止させると共に、当接部１１を水栓本体２２の正面側やや右寄りに当接させることにより、水栓本体２２の共回りを防止できる。また、図示は省略するが、ナット４を緩める場合等、水栓本体２２が上記とは逆方向に共回りをする虞がある場合には、係止部１２を左側の工具掛け２４ｂに係止させると共に、当接部１１を水栓本体２２の正面側やや左寄りに当接させることにより、水栓本体２２の逆方向の共回りを防止できる。
【００１３】
次いで、請求項１の発明を適用した給水栓用工具３４を、図２を参照して説明する。給水栓３０の水栓本体２２には、水栓本体２２の正面側寄りの左右外側面の２箇所に工具掛け２４ａ，ｂがそれぞれ設けられている。そして、水栓本体２２と壁面２６との間には給水栓用工具３４の引っかけ部１０を挿入するのに十分な空間が確保されていない。また、給水栓用工具３４は、上記給水栓用工具６と異なり、当接部１１に対して把持部３６が引っかけ部１０とは逆方向に屈曲され、全体が略クランク形状に形成されている。
【００１４】
水栓本体２２が図２の平面視反時計回りに共回りする場合には、給水栓用工具３４の係止部１２を右側の工具掛け２４ａに係止させると共に、当接部１１を水栓本体２２外周面の左側の工具掛け２４ｂ付近に当接させればよい。ここで、図２に示すように工具掛け２４ａ，ｂが水栓本体２２の正面側に設けられている態様では、従来の略Ｌ字状の給水栓用工具では把持部が壁面２６に干渉するために使用できないのであるが、上記のような給水栓用工具３４とすることにより、その使用が可能となる。また、図示は省略するが、水栓本体２２が上記とは逆方向に共回りする場合には、係止部１２を左側の工具掛け２４ｂに係止させると共に、当接部１１を水栓本体２２外周面の右側の工具掛け２４ａ付近に当接させればよい。
【００１５】
次いで、別の給水栓３８、及び請求項１の発明を適用した給水栓用工具３４を、図３を参照して説明する。この給水栓３８では、水栓本体２２の正面及び背面の２箇所に工具掛け２４ａ，ｂがそれぞれ設けられている。ここで、水栓本体２２と壁面２６との間は、給水栓用工具３４の引っかけ部１０を挿入可能な十分な空間が確保されているのではあるが、水栓本体２２の近傍の取付部１上には、食器洗浄機や他の水栓本体等の種々の水栓設備４２等が設置されており、略Ｌ字状の従来の給水栓用工具では、水栓本体２２の一側（図３の例では、水栓本体２２の左側）にしか給水栓用工具を配置できず、一方向の共回りしか防止することができない。しかしながら、請求項１の発明を適用した給水栓用工具３４を用いることにより、水栓本体２２の両方向の共回りを防止することができる。具体的には、図３に示すように、水栓本体２２が平面視反時計回りに共回りする場合には、係止部１２を水栓本体２２正面側の工具掛け２４ａに係止させると共に、当接部１１を水栓本体２２の左側面に当接させればよく、水栓本体２２が上記とは逆方向に共回りする場合には、図示は省略するが、係止部１２を背面側の工具掛け２４ｂに係止させると共に、当接部１１を水栓本体２２の左側面に当接させればよい。
【００１６】
次いで、別の給水栓４３、及び請求項１の発明を適用した給水栓用工具３４を、図４を参照して説明する。この給水栓４３では、平面視略直角に交差する壁面４４の間に水栓本体２２が設置されている。そして、水栓本体２２には、左右両側面（壁面４４の隅に対向する面を水栓本体の背面とする）の２箇所に工具掛け２４ａ，ｂがそれぞれ設けられている。このような給水栓４３では、水栓本体２２が平面視反時計回りに共回りする場合には、給水栓用工具３４の係止部１２を水栓本体２２右側面の工具掛け２４ａに係止させると共に、当接部１１を水栓本体２２の正面に当接させればよい。また、図示は省略するが、水栓本体２２が上記とは逆方向に共回りする場合には、係止部１２を水栓本体２２左側面の工具掛け孔２４ｂに係止させると共に、当接部１１を水栓本体２２の正面に当接させればよい。
【００１７】
次いで、請求項１の発明を適用した別の給水栓用工具４８について、図５を参照して説明する。この給水栓用工具４８は、把持部３６の当接部１１に対する角度を変更・固定可能に設けたものである。把持部３６は、軸５０を支点として当接部１１に対して回動自在に支持されており、当接部１１に対する角度を自由に変更することができる。そして、変更した角度にて、ボルトや蝶ナット等の公知の固定手段によって、その角度を固定することができる。このように把持部３６の角度を変更・固定可能とすることより、上記した略クランク形状の給水栓用工具３４と同様に使用することができるほか、必要に応じて把持部３６の角度を適宜変更することにより、種々の態様の給水栓に用いることができる。尚、把持部３６の調節可能角度は、当接部１１に対して直線状の０°（図示Ｅ）から９０°（図示Ｇ）までの範囲で調節可能とすると、給水栓用工具４８全体を、略Ｌ字形状、引っかけ部１０と把持部３６とが平行な略クランク形状、或いは、これらの中間の形状に適宜変更することができ、汎用性に優れる点で好適である。さらには、当接部１１に対して把持部３６を１２０°（図示Ｆ）の角度まで調節可能とすると、さらに汎用性を向上させることができる。また、把持部３６の調節は、無段階に調節可能としても良く、例えば０°、９０°、１２０°毎等、段階的に調節可能としてもよい。
【００１９】
【発明の効果】
本発明は上記のように構成されているので、水栓本体の設置場所にかかわらず、取付部への取付等の際の水栓本体の共回りを防止し、取付部への取付等の作業性を向上させることができる。
【図面の簡単な説明】
【図１】本発明の給水栓の水栓本体の概略横断面図である。
【図２】本発明の別の給水栓の水栓本体及び給水栓用工具の概略横断面図である。
【図３】本発明のさらに別の給水栓の水栓本体及び給水栓用工具の概略横断面図である。
【図４】本発明のさらにまた別の給水栓の水栓本体及び給水栓用工具の概略横断面図である。
【図５】本発明の別の給水栓用工具の平面図である。
【図６】従来の給水栓の一部破断側面図である。
【図７】従来の給水栓の水栓本体の概略横断面図である。
【図８】従来の給水栓の水栓本体の概略横断面図である。
【図９】従来の給水栓の水栓本体の概略横断面図である。
【符号の説明】
１；取付部、２；取付孔、３；水栓本体、４；ナット、５；工具掛け、６；給水栓用工具、７；混合弁カートリッジ、８；ハウジング、９；把持部、１０；引っかけ部、１１；当接部、１２；係止部、１４；給水栓、１６；壁面、２０；給水栓、２２；水栓本体、２４ａ，２４ｂ；工具掛け、２６；壁面、３０；給水栓、３４；給水栓用工具、３６；把持部、３８；給水栓、４２；給水栓設備、４３；給水栓、４４；壁面、４８；給水栓用工具、５０；軸。
【図１】
0004753505.tif 000002
【図２】
0004753505.tif 000003
【図３】
0004753505.tif 000004
【図４】
0004753505.tif 000005
【図５】
0004753505.tif 000006
【図６】
0004753505.tif 000007
【図７】
0004753505.tif 000008
【図８】
0004753505.tif 000009
【図９】
0004753505.tif 000010